(57)【要約】【課題】窓やスラットの表面、あるいは部屋の壁などにカビや菌が繁殖するのを防止できるブラインドを提供する。【解決手段】並列に設けられた複数のスラット２と、スラット２上方にスラット列と同列に設けられスラット側スラット側吹出口８２、スラット前方スラット前方吹出口８１、スラット後方スラット後方吹出口８３を備えた吹出口体８と、この吹出口体８へ至るダクト６に設けられた正負イオンを発生するイオン発生器２０と、前記ダクト６内に空気を送るファン９とを備え、前記吹出口体８内に、前記スラット側スラット前方吹出口８１、前記スラット前方スラット側吹出口８２、前記スラット後方スラット後方吹出口８３のいずれか１つ又は２つを選択する吹出口選択機構を設けた。【選択図】      図２
2004316235.tif 000002
【特許請求の範囲】
【請求項１】
並列に設けられた複数のスラットと、スラット上方に設けられた吹出口と、この吹出口へ至る空気流路に設けられた正負イオンを発生するイオン発生器と、前記空気流路内に空気を送る送風手段とを備えたこと特徴とするブラインド。
【請求項２】
並列に設けられた複数のスラットと、スラット上方にスラット列と同列に設けられスラット側吹出口、スラット前方吹出口、スラット後方吹出口を備えた吹出口体と、この吹出口体へ至る空気流路に設けられた正負イオンを発生するイオン発生器と、前記空気流路内に空気を送る送風手段とを備え、前記吹出口体内に、前記スラット側吹出口、前記スラット前方吹出口、前記スラット後方吹出口のいずれか１つ又は２つを選択する吹出口選択機構を設けたこと特徴とするブラインド。
【請求項３】
前記吹出口選択機構が、前記吹出口体内へ進入する空気流の範囲を規制して調整する回転体と、この回転体を回転駆動する回転体駆動手段とを有することを特徴とする請求項２に記載のブラインド。
【請求項４】
前記吹出口選択機構が、前記吹出口体内に形成されたスラット側吹出口、スラット前方吹出口、スラット後方吹出口に対応して区画された３つの吹出口体空間と、前記回転体の回転中心から所定の中心角で周方向の３ヶ所に設けられた回転体空間とを備え、前記回転体の回転により前記吹出口体空間と前記回転体空間のいずれか１つ又は２つ同士を連通させることを特徴とする請求項２又は３に記載のブラインド。
【発明の詳細な説明】
【０００１】
【発明の属する技術分野】
本発明は、日除け、目隠し等を目的とするブラインドに関するものである。
【０００２】
【従来の技術】
ブラインドは、日除け、目隠し等を主目的とするものであるが、その他の機能を持たせた製品も登場している。一例として、スラットにトルマリンの微粉末を付加したものがあり、トルマリンの持つ空気の負イオン化作用により、生体に好ましい負イオン環境を得ることができる（特許文献１参照。）。
【０００３】
このような製品が生まれる背景には、エアコン冷房、ガス暖房機等で長時間締め切った部屋や、電子機器である情報処理機器群を使用する部屋では空気が陽性化し、正イオン過多な雰囲気になる結果、頭痛、吐き気、めまい、イライラ等の現象を引き起こすという現代の気密性の高い居住環境や高度情報化社会が抱える問題があり、実際、負イオン環境を作り出すことで確かにそのような効果が期待できる。
【０００４】
【特許文献１】
特開平９−３０３０６５号公報  （第００１２段落、第１図）
【０００５】
【発明が解決しようとする課題】
しかしながら、負イオンには空気中に浮遊するカビや菌を不活化する作用はほとんどないため、窓やスラットの表面、あるいは部屋の壁などにカビや菌が繁殖することがあった。特に、冬場の密閉された部屋では、窓ガラスに結露が生じ、窓枠などにカビが発生しやすくなるが、スラットが下りたままではそれに気づかず、部屋に飛び散ったカビの胞子でアレルギーや感染症を引き起こす問題もあった。
【０００６】
本発明は、窓やスラットの表面、あるいは部屋の壁などにカビや菌が繁殖するのを防止できるブラインドを提供することを目的とする。
【０００７】
【課題を解決するための手段】
上記目的を達成するために本発明のブラインドは、並列に設けられた複数のスラットと、スラット上方に設けられた吹出口と、この吹出口へ至る空気流路に設けられた正負イオンを発生するイオン発生器と、前記空気流路内に空気を送る送風手段とを備えたこと特徴とする。
【０００８】
この構成によると、イオン発生器から発生した正負イオンは、送風手段の運転によって空気流路内を流れる空気流に搬送され、スラット上方の吹出口に至る。そして、吹出口よりスラット側、スラット前方（部屋側）あるいはスラット後方（窓側）に向けて正負イオンが吹出される。
【０００９】
また、本発明のブラインドは、並列に設けられた複数のスラットと、スラット上方にスラット列と同列に設けられスラット側吹出口、スラット前方吹出口、スラット後方吹出口を備えた吹出口体と、この吹出口体へ至る空気流路に設けられた正負イオンを発生するイオン発生器と、前記空気流路内に空気を送る送風手段とを備え、前記吹出口体内に、前記スラット側吹出口、スラット前方吹出口、スラット後方吹出口のいずれか１つ又は２つを選択する吹出口選択機構を設けたこと特徴とする。
【００１０】
この構成によると、イオン発生器から発生した正負イオンは、送風手段の運転によって空気流路内を流れる空気流に搬送され、スラット上方の吹出口体内に至る。そして、吹出口選択機構により、前記スラット側吹出口、前記スラット前方吹出口、前記スラット後方吹出口のいずれか１つ又は２つが選択されて、スラット側、スラット前方（部屋側）、スラット後方（窓側）のいずれか１つ又は２つに向けて正負イオンが吹出される。
【００１１】
これにより、正負イオンが吹出された空間で、空気中に浮遊するカビや菌が不活化される。
【００１２】
具体的には、前記吹出口選択機構は、前記吹出口体内へ進入する空気流の範囲を規制して調整する回転体と、この回転体を回転駆動する回転体駆動手段と、前記吹出口体内に形成されたスラット側吹出口、スラット前方吹出口、スラット後方吹出口に対応して区画された３つの吹出口体空間と、前記回転体の回転中心から所定の中心角で周方向の３ヶ所に設けられた回転体空間とを備えている。
【００１３】
この構成のもと、前記回転体の回転により前記吹出口体空間と前記回転体空間のいずれか１つ又は２つ同士を連通させることにより、前記スラット側吹出口、スラット前方吹出口、スラット後方吹出口のいずれか１つ又は２つの選択が可能となる。
【００１４】
【発明の実施の形態】
以下に本発明の実施形態を図面を参照して説明する。図１は、本発明に係る電動ブラインドの斜視図であり、図２はその側方から見た断面図である。
【００１５】
電動ブラインド１は、平行に設けられた複数枚のスラット２を備えている。スラット２は、長手方向に沿って数箇所でワイヤ３によって昇降可能、かつ、角度調節可能に支持されている。また、スラット２の並びの上方には、スラットの長手方向にその長手方向を有する制御ボックス４が設けられている。
【００１６】
制御ボックス４には、昇降用のワイヤ３巻取り用のモータ（図示せず）を備えている。このモータを正逆方向に回転駆動することにより、ワイヤ３を巻き取ってスラット２全体を上昇させたり、ワイヤ３を延ばして下降させたりすることができる。
【００１７】
次に、制御ボックス４内の構成について説明する。図３は、制御ボックス４の上面、正面、側面から見た断面図（それぞれ（ａ）、（ｂ）、（ｃ））を表わしている。制御ボックス４内の長手方向の一端部には、断面角型のダクト６が設けられている。ダクト６は途中で２回Ｌ字に屈曲した形状であり、屈曲部の上流側と下流側で空気流の方向が平行にずらされるようになっている。
【００１８】
ダクト６内の空気入口６１近傍には、ファン５が設けられている。また、ファン５の下流側にあたるダクト６の上壁には正負イオンを発生するイオン発生器２０が設けられている。イオン発生器２０は、イオン発生面がダクト６内に位置するようにダクト６の上壁を貫通して設けられるが、その貫通孔はイオン発生器２０の本体２２（図１０参照）により塞がれ、ダクト６内を流通する空気が漏れないようになっている。
【００１９】
そして、ダクト６に隣接して吹出口体８が設けられている。吹出口体８は、制御ボックス４の長手方向にその長手方向を有する中空の箱体である。吹出口体８の一端面８ａはダクト６の空気出口６２に面している。この吹出口体８の内部には、吹出口体８の長手方向にその長手方向を有する棒状の回転体１０が設けられている。
【００２０】
図４は、吹出口体８の長手方向の一端面８ａ近傍を示す斜視図であり、図５はその一端面８ａから見た平面図であり、そして、図６はその断面図を示している。吹出口体８の一端面８ａには、ダクト６の空気出口６２と対向する位置に、下側に円弧を有する半円形の窓９が設けられている。これにより、ダクト６内を通過して空気出口６２から吹出される正負イオンを含む空気は、窓９によって規定される限られた範囲内から吹出口体８内に流入することになる。
【００２１】
図１０は、イオン発生器２０の模式的な透視斜視図である。箱型の本体２２の上面には矩形の開口部が形成され、この開口部に平板状の誘電体２３が設けられている。この誘電体２３の上面は本体２２の上面と一致している。本体２２の内部下方には、高圧パルス駆動回路２６が収容されている。誘電体２３の上面と下面には、板状の内部電極２４と網状の外部電極２５が対向配置されている。外部電極２５は本体２２の上面から外部に露出している。これらの内部電極２４と外部電極２５には、リード線２７を介して高圧パルス駆動回路２６が接続されている。高圧パルス駆動回路２６を駆動すると、内部電極２４と外部電極２５の間に正電圧と負電圧からなる高圧パルス電圧が印加され、プラズマ放電が起こる。これによって外部電極２５の周辺空気がイオン化され、ほぼ同数の正負イオンが発生する。
【００２２】
なお、上記電極間に交流高電圧を印加することにより、空気中の酸素ないしは水分が電離によりエネルギーを受けてイオン化し、Ｈ＋（Ｈ２Ｏ）ｍ（ｍは任意の自然数）とＯ２−（Ｈ２Ｏ）ｎ（ｎは任意の自然数）を主体としたイオンを生成し、これらをファン等により空間に放出させる。これらＨ＋（Ｈ２Ｏ）ｍ及びＯ２−（Ｈ２Ｏ）ｎは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００２３】
正負のイオンは浮遊細菌の細胞表面で式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を不活化、除去することができる。
Ｈ＋（Ｈ２Ｏ）ｍ＋Ｏ２−（Ｈ２Ｏ）ｎ→・ＯＨ＋１／２Ｏ２＋（ｍ＋ｎ）Ｈ２Ｏ  ・・・（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’  →  ２・ＯＨ＋Ｏ２＋（ｍ＋ｍ’＋ｎ＋ｎ’）Ｈ２Ｏ  ・・・（２）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’  →  Ｈ２Ｏ２＋Ｏ２＋（ｍ＋ｍ’＋ｎ＋ｎ’）Ｈ２Ｏ  ・・・（３）
【００２４】
以上のメカニズムにより、上記正負イオンの放出により、浮遊菌等の不活化の効果を得ることができる。
【００２５】
また、上記式（１）〜式（３）は、空気中の有害物質表面でも同様の作用を生じさせることができるため、活性種である過酸化水素（Ｈ２Ｏ２）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害となる。
【００２６】
したがって、イオン発生器２０によって発生させた正負イオンをファン５によって空間に送り出すことにより、これらの正負イオンの作用により空気中に浮遊するカビや菌を不活化し、その増殖を抑制することができる。
【００２７】
その他、正負イオンには、インフルエンザウィルス、コクサッキーウィルスなどのウィルス類も不活化する働きがあり、これらウィルスの混入による汚染が防止できる。
【００２８】
また、正負イオンには、臭いの元となる分子を分解する働きがあることも確かめられており、空間の脱臭にも利用できる。
【００２９】
次に、回転体１０の構造を説明する。図７は、回転体１０の斜視図であり、図８はその分解斜視図である。回転体１０は、断面形状が中心角６０°と１２０°の同径扇形の棒状部材３１，３２及び板状の棒状部材３３を、互いの側面間に中心角６０°の断面扇形の間隙ができるように放射状に組み合わせ、両端にホルダー３４，３５をはめ込んで支えたものである。ホルダー３４は、円筒状の部材であり、その内壁に棒状部材３１，３２，３３の外縁部の形状に対応した形状の溝３４ａ、３４ｂ、３４ｃが形成されている。ホルダー３５は、円柱状の部材であり、その一端面３５ａ側に棒状部材３１，３２，３３の断面形状に対応した形状の凹部３５ｘ，３５ｙ，３５ｚを形成したものである。
【００３０】
回転体１０は、棒状部材３１，３２，３３の互いの側面間に、長手方向に沿って中心角６０°の断面扇形の回転体空間１１，１２，１３を有する。すなわち、回転体空間１１は、棒状部材３１，３２の側面間に区画された空間であり、回転体空間１２は、棒状部材３２，３３の側面間に区画された空間であり、回転体空間１３は、棒状部材３３，３１の側面間に区画された空間である。
【００３１】
次に、吹出口の選択機構について説明する。図３に示すように、吹出口体８の他端面８ｂの外側には、吹出口体８に隣接してモータ３６が設けられている。モータ３６のシャフト３６ａは、吹出口体８の他端面８ｂを垂直に貫通している。シャフト３６ａの先端には、回転体１０の他端面１０ｂ、すなわち、ホルダー３５の他端面３５ｂの中心が固定されている。これにより、回転体１０は回転可能に取り付けられる。モータ３６の回転速度と時間を制御することで、シャフト３６ａの回転量を調整でき、モータ３６の１回あたりの駆動で、回転体１０は６０°だけ回転する。
【００３２】
この回転体１０の長手方向の一端面１０ａは、図４に示すように、吹出口体８の一端面８ａの内壁に面しており、その下半分は、窓９を介してダクト６の空気出口６２に臨んでいる。また、図５に示すように、窓９の円弧の中心と回転体１０の回転中心は一致している。
【００３３】
したがって、窓９から吹出口体８内に流入する正負イオンを含む空気は、回転体１０の棒状部材３１，３２又は３３の一端面にさらに流路を規制され、窓９の枠の内側に位置する回転体空間１１，１２，１３のいずれか１つ又は２つへと流れ込む。
【００３４】
また、図６に示すように、吹出口体８の前面８ｃと背面８ｄの内壁には、水平な間仕切り板１７，１７がそれぞれ一体的に形成されている。また、吹出口体８の底面８ｅの内壁には水平方向に対して６０°の角度を有する一対の間仕切り板１７，１８が一体的に形成されている。間仕切り部材１７，１８の先端は、回転体１０の回転軌跡となる円柱のわずか外側まで達している。これにより、吹出口体８内部の下側であって回転体１０の回転軌跡の外側には、間仕切り部材１７，１８により仕切られた吹出口体空間１４，１５，１６が形成される。
【００３５】
これら間仕切り部材１７，１８の先端を延長線は、回転体１０の回転中心で交わる。そのため、図９に示すように、モータ３６を駆動して棒状部材３３の先端が１時、３時、５時、７時、９時又は１１時を指す位置に回転体１０を６０°づつ回転させることにより、回転体空間１１，１２，１３のいずれか１つ又は２つと吹出口体空間１４，１５，１６のいずれか１つ又は２つの開放部同士を一致させて両者を連通させることができる。
【００３６】
また、吹出口体８の底面８ｅには、各吹出口体空間１４，１５，１６に対応してスラット前方吹出口８１、スラット側吹出口８２、スラット後方吹出口８３が形成されている。したがって、上記のように、回転体空間１１，１２，１３のいずれか１つ又は２つと吹出口体空間１４，１５，１６のいずれか１つ又は２つとが連通すると、ダクト６の空気入口６１から吹出口体８のスラット前方吹出口８１、スラット側吹出口８２、スラット後方吹出口８３のいずれか１つ又は２つへと通ずる空気通路が形成される。
【００３７】
なお、スラット前方吹出口８１、スラット側吹出口８２、スラット後方吹出口８３から確実に正負イオンを含む空気を送り出すために、図１１に示すように、回転体空間１１，１２，１３に段階的に径の大きくなる扇形の羽板３７を設けてもよい。
【００３８】
以上の構成において動作を図９を参照して説明する。使用者は、電動ブラインドのスラット２が降りた状態でリモコン（図示せず）により「スラット除菌」、「窓除菌」、「部屋除菌」、「スラット＆窓除菌」、「窓＆部屋除菌」、「部屋＆スラット除菌」のいずれかのモードを選択する。
【００３９】
「スラット除菌」モードを選ぶと、イオン発生素子２０が駆動されるとともに、ファン５が運転され、さらに図９（ａ）に示すように、回転体１０の棒状部材３３の先端が１時を指す位置に回転し、回転体空間１１と吹出口体空間１５とが連通し、スラット側吹出口８２からスラット２に向けて正負イオンを含む空気が吹出される。これにより、スラット２の周辺の空気に浮遊するカビや菌が不活化され、スラット２表面にカビや菌が繁殖するのを防げるため、スラット２を清潔な状態に保つことができる。
【００４０】
「窓除菌」モードを選ぶと、イオン発生素子２０が駆動されるとともに、ファン５が運転され、さらに図９（ｆ）に示すように、回転体１０の棒状部材３３の先端が１１時を指す位置に回転し、回転体空間１１と吹出口体空間１６とが連通し、スラット後方吹出口８３から窓に向けて正負イオンを含む空気が吹出される。これにより、窓の周辺の空気に浮遊するカビや菌が不活化され、窓表面にカビや菌が繁殖するのを防げるため、窓を清潔な状態に保つことができる。
【００４１】
「部屋除菌」モードを選ぶと、イオン発生素子２０が駆動されるとともに、ファン５が運転され、さらに図９（ｅ）に示すように、回転体１０の棒状部材３３の先端が９時を指す位置に回転し、回転体空間１２と吹出口体空間１４とが連通し、スラット前方吹出口８１から部屋に向けて正負イオンを含む空気が吹出される。これにより、部屋の空気に浮遊するカビや菌が不活化され、部屋の壁などにカビや菌が繁殖するのを防げるため、部屋を清潔な状態に保つことができる。また、雑菌によるアレルギーや感染症を防止することも可能である。
【００４２】
「部屋＆スラット除菌」モードを選ぶと、イオン発生器２０が駆動されるとともに、ファン５が運転され、さらに図９（ｄ）に示すように、回転体１０の棒状部材３３の先端が７時を指す位置に回転し、回転体空間１３と吹出口体空間１４、及び回転体空間１２と吹出口体空間１５が連通し、スラット前方吹出口８１から部屋に向けて正負イオンを含む空気が吹出されるとともに、スラット側吹出口８２からスラット２に向けて正負イオンを含む空気が吹出される。これにより、部屋とスラット２の周辺の空気に浮遊するカビや菌が不活化され、部屋の壁などやスラット２表面にカビや菌が繁殖するのを防げ、部屋やスラット２を清潔な状態に保つことができる。また、雑菌によるアレルギーや感染症を防止することも可能である。
【００４３】
「窓＆部屋除菌」モードを選ぶと、イオン発生器２０が駆動されるとともに、ファン５が運転され、さらに図９（ｂ）に示すように、回転体１０の棒状部材３３の先端が３時を指す位置に回転し、回転体空間１１と吹出口体空間１４、及び回転体空間１３と吹出口体空間１６が連通し、スラット前方吹出口８１から部屋に向けて正負イオンを含む空気が吹出されるとともに、スラット後方吹出口８３から窓に向けて正負イオンを含む空気が吹出される。これにより、部屋と窓の周辺の空気に浮遊するカビや菌が不活化され、部屋の壁などや窓にカビや菌が繁殖するのを防げ、部屋や窓を清潔な状態に保つことができる。また、雑菌によるアレルギーや感染症を防止することも可能である。
【００４４】
「スラット＆窓除菌」モードを選ぶと、イオン発生器２０が駆動されるとともに、ファン５が運転され、さらに図９（ｃ）に示すように、回転体１０の棒状部材３３の先端が５時を指す位置に回転し、回転体空間１３と吹出口体空間１５、及び回転体空間１２と吹出口体空間１６が連通し、スラット側吹出口８２からスラット２に向けて正負イオンを含む空気が吹出されるとともに、スラット後方吹出口８３から窓に向けて正負イオンを含む空気が吹出される。これにより、スラット２と窓の周辺の空気に浮遊するカビや菌が不活化され、スラット２表面や窓にカビや菌が繁殖するのを防げ、スラット２や窓を清潔な状態に保つことができる。
【００４５】
【発明の効果】
本発明によると、スラット前方吹出口、スラット後方吹出口、スラット側吹出口のいずれか１つ又は２つを選択して正負イオンを含む空気を吹出すことにより、部屋、スラット、窓周辺の空気に浮遊するカビや菌を選択的に不活化することができる。したがって、窓やスラットの表面、あるいは部屋の壁などにカビや菌が繁殖するのを防止できる。
【図面の簡単な説明】
【図１】本発明に係る電動ブラインドの斜視図である。
【図２】同上電動ブラインドの側面断面図である。
【図３】電動ブラインド制御ボックスを上面から見た断面図（ａ）、正面から見た断面図（ｂ）、側面から見た断面図（ｃ）である。
【図４】上記制御ボックス内に設けられる吹出口体の長手方向の一端面近傍を示す斜視図である。
【図５】同上吹出口体をその一端面から見た平面図である。
【図６】同上吹出口体の断面図である。
【図７】上記吹出口体内に設けられる回転体の斜視図である。
【図８】同上回転体の分解斜視図である。
【図９】吹出口選択機構を説明するための上記吹出口体の断面図である。
【図１０】上記制御ボックス内のダクトに設けられるイオン発生器の概略透視斜視図である。
【図１１】上記回転体の他の例を示す斜視図である。
【符号の説明】
１  電動ブラインド
２  スラット
３  ワイヤ
４  制御ボックス
５  ファン
６  ダクト
８  吹出口体
１０  回転体
１１，１２，１３  回転体空間
１４，１５，１６  吹出口体空間
２０  イオン発生器
３６  回転体駆動モータ
８１  スラット前方吹出口
８２  スラット側吹出口
８３  スラット後方吹出口
【図１】
2004316235.tif 000003
【図２】
2004316235.tif 000004
【図３】
2004316235.tif 000005
【図４】
2004316235.tif 000006
【図５】
2004316235.tif 000007
【図６】
2004316235.tif 000008
【図７】
2004316235.tif 000009
【図８】
2004316235.tif 000010
【図９】
2004316235.tif 000011
【図１０】
2004316235.tif 000012
【図１１】
2004316235.tif 000013